(57)【要約】      （修正有）【課題】フレキシブル太陽電池モジュールを直立シーム屋根に取り付ける、溝型取り付けブラケットを提供する。【解決手段】溝型取り付けブラケット１００は支持板１及び支持板の側辺に設置される溝３を備え、溝が建物表面に延在し且つ側面に突起のある垂直部材に係着されるように設置する。太陽光発電ユニットは太陽光発電モジュール及び溝型取り付けブラケットを備え、溝型取り付けブラケットによって、フレキシブル太陽電池モジュールを直立シーム屋根に直接係止して取り付ける。【選択図】図１
2019031896.tif 000002
【特許請求の範囲】
【請求項１】
フレキシブル太陽電池モジュールの溝型取り付けブラケットであって、
前記フレキシブル太陽電池モジュールを直立シーム屋根に取り付けることに用いられ、前記溝型取り付けブラケットは支持板及び溝を備え、前記溝は前記支持板の対向する２つの側辺に設置されることを特徴とするフレキシブル太陽電池モジュールの溝型取り付けブラケット。
【請求項２】
前記支持板は長方形であり、前記溝は前記支持板の２つの短辺に設置され、又は前記支持板の２つの長辺に設置されることを特徴とする請求項１に記載の溝型取り付けブラケット。
【請求項３】
前記溝が設置される前記支持板の２つの側辺同士の間隔は前記直立シーム屋根のピーク幅の整数倍であることを特徴とする請求項１又は２に記載の溝型取り付けブラケット。
【請求項４】
前記溝型取り付けブラケットは更に垂直支持リブを備え、前記垂直支持リブは前記溝が設置されていない前記支持板の側辺方向に設置されることを特徴とする請求項１又は２に記載の溝型取り付けブラケット。
【請求項５】
前記溝の外部と直立シーム屋根のシーム部との接触部にフレキシブルガスケットが設置されることを特徴とする請求項１又は２に記載の溝型取り付けブラケット。
【請求項６】
前記支持板に丸孔が均一に配置されることを特徴とする請求項１又は２に記載の溝型取り付けブラケット。
【請求項７】
前記丸孔の面積が支持板の総面積の２０％〜６０％であることを特徴とする請求項６に記載の溝型取り付けブラケット。
【請求項８】
前記支持板にはフレキシブル太陽電池モジュールの接続箱を収容する角孔が設置され、前記支持リブの前記支持板の短辺寄りの片側に電線を貫通させる孔が設置されることを特徴とする請求項４に記載の溝型取り付けブラケット。
【請求項９】
太陽光発電モジュールの溝型取り付けブラケットであって、
前記太陽光発電モジュールを建物に取り付けることに用いられ、前記溝型取り付けブラケットは支持板及び溝を備え、前記支持板は前記太陽光発電モジュールを取り付けるように設定され、前記溝は前記支持板の側辺に設置され、前記溝は建物表面に延在し且つ側面に突起のある垂直部材との係着に適すように設定されることを特徴とする太陽光発電モジュールの溝型取り付けブラケット。
【請求項１０】
前記太陽光発電モジュールはフレキシブル太陽電池モジュールであることを特徴とする請求項９に記載の溝型取り付けブラケット。
【請求項１１】
前記溝型取り付けブラケットは少なくとも前記支持板の対向する２つの側辺に設置される２つの溝を備え、前記２つの溝は２つの前記垂直部材に係着されるように設定され、前記垂直部材は直立シーム屋根のシーム部であることを特徴とする請求項９又は１０に記載の溝型取り付けブラケット。
【請求項１２】
前記２つの溝はいずれも溝型部を備え、前記溝型部の形状は前記突起の形状にマッチングするように設定され、前記２つの溝の溝型部の開口部はいずれも前記溝型取り付けブラケットの外側に向かっており、又は、前記２つの溝のうち１つの溝の溝型部の開口部は前記溝型取り付けブラケットの外側に向かっており、もう１つの溝の溝型部の開口部が前記溝型取り付けブラケットの内側に向かっていることを特徴とする請求項１１に記載の溝型取り付けブラケット。
【請求項１３】
前記支持板に減量孔、装着口及びワイヤ通過孔のうちのいずれか１つ又は複数が設けられ、前記減量孔は前記支持板に開設される複数の貫通孔であり、前記装着口は前記太陽光発電モジュールの接続箱を収容するように設定され、前記ワイヤ通過孔は前記太陽光発電モジュールに接続される電線の通過に適すように設置されることを特徴とする請求項９又は１０に記載の溝型取り付けブラケット。
【請求項１４】
太陽光発電ユニットであって、
太陽光発電モジュール及び請求項１〜１３のいずれか一項に記載の溝型取り付けブラケットを備え、前記太陽光発電モジュールは前記溝型取り付けブラケットの支持板に取り付けられることを特徴とする太陽光発電ユニット。
【請求項１５】
前記太陽光発電モジュールは裏面が前記支持板に接着されるフレキシブル太陽電池モジュールであり、前記太陽光発電ユニットは直立シーム屋根に直接係止して取り付けることに適すように設定されることを特徴とする請求項１４に記載の太陽光発電ユニット。
【請求項１６】
前記太陽光発電モジュールの裏面に接続箱が設けられ、前記支持板に前記接続箱を収容する装着口が開設され、溝が設置されていない前記支持板の対向する２つの側辺に二本の支持リブが設置され、前記二本の支持リブの前記接続箱寄りの片側にワイヤ通過孔が設置され、前記接続箱から引き出された二本の正負極電線がそれぞれ二本の支持リブの前記ワイヤ通過孔を貫通することを特徴とする請求項１４又は１５に記載の太陽光発電ユニット。
【請求項１７】
前記太陽光発電モジュールの正面に接続箱が設けられ、溝が設置されていない前記支持板の対向する２つの側辺に二本の支持リブが設置され、前記支持板及び前記二本の支持リブの前記接続箱寄りの片側にいずれもワイヤ通過孔が設置され、前記接続箱から引き出された二本の正負極電線が順に前記支持板及び前記二本の支持リブの前記ワイヤ通過孔を貫通することを特徴とする請求項１４又は１５に記載の太陽光発電ユニット。
【請求項１８】
直立シーム屋根に太陽光発電モジュールを取り付ける方法であって、
溝型取り付けブラケットによって太陽光発電モジュールを直立シーム屋根の２つのシーム部の間に取り付けることと、
前記太陽光発電モジュールを直列接続又は並列接続し、発電システムの接続を完了することと、を含むことを特徴とする直立シーム屋根に太陽光発電モジュールを取り付ける方法。
【請求項１９】
前記太陽光発電モジュールはフレキシブル太陽電池モジュールであり、溝型取り付けブラケットによって太陽光発電モジュールを直立シーム屋根の２つのシーム部の間に取り付けることは、
請求項１〜１３のいずれか一項に記載の溝型取り付けブラケットを直立シーム屋根の２つのシーム部の間に係止し、次にフレキシブル太陽電池モジュールを前記溝型取り付けブラケットの支持板に接着すること、又は
フレキシブル太陽電池モジュールを請求項１〜１３のいずれか一項に記載の溝型取り付けブラケットの支持板に接着し、次に溝型取り付けブラケットを直立シーム屋根の２つのシーム部の間に係止することを含むことを特徴とする請求項１８に記載の方法。
【請求項２０】
請求項１〜１３のいずれか一項に記載の溝型取り付けブラケットを直立シーム屋根の２つのシーム部の間に係止し、次にフレキシブル太陽電池モジュールを前記溝型取り付けブラケットの支持板に接着することは、請求項１〜１３のいずれか一項に記載の溝型取り付けブラケットを、設定された間隔で配列し、直立シーム屋根の２つのシーム部の間に係止し、直立シーム屋根に格子状プラットフォームを形成し、次に前記フレキシブル太陽電池モジュールを前記支持板に断続的に接着して取り付け、太陽電池アレイ全体を形成することを含むことを特徴とする請求項１９に記載の方法。
【請求項２１】
溝型取り付けブラケットを直立シーム屋根の２つのシーム部の間に係止する前又はその後、前記方法は更に、前記溝型取り付けブラケットの溝と前記２つのシーム部との接触位置に接着剤を塗装することを含むことを特徴とする請求項１９又は２０に記載の方法。
【発明の詳細な説明】
【技術分野】
【０００１】
本願は太陽光発電モジュールの取り付け応用に関するが、それに限らない。
【背景技術】
【０００２】
新エネルギー利用技術の継続的な発展に伴い、分散型太陽光発電は人々により便利なエネルギー供給源を提供する。分散型太陽光発電システムは一定の空き地を支持体とする必要がある。現在、地上太陽光発電所以外、分散型太陽光発電システムは主に建物の屋上、立面等の建物表面に取り付けられる。太陽光発電システム（太陽光発電所とも称される）自体の重量はそれが取り付けられた建物に一定の重量負荷を与える。太陽光発電システム自体の重量は主に太陽電池モジュール（ガラス、鋼板等）及び取り付けシステム（金属ブラケット、バッキングプレート等）による。
【０００３】
従来の太陽電池モジュールは、材料に応じて分類すると、主に結晶シリコン、アモルファスシリコン、フレキシブル等のタイプがあり、材料の特徴及びパッケージプロセスの違いによって、結晶シリコン材料及び多くのアモルファスシリコン材料で製造された太陽電池モジュール製品はガラスでパッケージされ、曲げることができない。このため、このような太陽電池モジュールは質量が大きく、振動及び応力による突然変異に耐えない。このようなモジュールのパッケージ、取り付け条件を満たすために、取り付ける時に常に大量のガラスパッケージ、金属ブラケット及びカウンターウェイトを必要とするため、太陽電池モジュール及びその取り付けシステム等で構成される太陽光発電システムの重量負荷が急に増加し、結晶シリコン、アモルファスシリコンガラス太陽電池モジュールの分散型適用範囲に悪影響を与えてしまう。
【０００４】
フレキシブル太陽電池モジュールは新型太陽光発電モジュールであり、銅インジウムガリウムセレン（ＣＩＧＳ、ＣｕＩｎｘＧａ（１−ｘ）Ｓｅ２）発電技術を用いて、最大の特徴は、曲げることができ、接着することができ、エチレン−テトラフルオロエチレン共重合体（ＥＴＦＥ、ｅｔｈｙｌｅｎｅ−ｔｅｔｒａ−ｆｌｕｏｒｏ−ｅｔｈｙｌｅｎｅ）等の非金属を用いてパッケージしてから、建物の立面、円弧状屋根等の位置に直接実装することができ、質量が結晶シリコン及びアモルファスシリコンガラスモジュールの三分の一のみである。建物表面にフレキシブル太陽電池モジュールを直接実装する取り付け方法を用いると、建物表面が実装条件を満たすこと、例えば接着表面の面積がフレキシブル太陽電池モジュールを取り付けるために必要な最小面積を満たすと同時に、接着表面に一定の平坦度を有することが要求され、このため、フレキシブル太陽電池モジュールの分散型発電適用範囲に悪影響を与えてしまう。
【０００５】
要するに、太陽光発電システム自体の重量、建物表面条件に対する要求は分散型太陽光発電の応用を制約する要素である。
【発明の概要】
【発明が解決しようとする課題】
【０００６】
以下は本明細書を詳しく説明する主題の概要である。本概要は特許請求の保護範囲を制限するためのものではない。
【課題を解決するための手段】
【０００７】
本願はフレキシブル太陽電池モジュールの溝型取り付けブラケットを提供し、前記フレキシブル太陽電池モジュールを直立シーム屋根に取り付けることに用いられ、前記溝型取り付けブラケットは支持板及び溝を備え、前記溝は前記支持板の対向する２つの側辺に設置される。
【０００８】
本願は更に太陽光発電モジュールの溝型取り付けブラケットを提供し、前記太陽光発電モジュールを建物に取り付けることに用いられ、前記溝型取り付けブラケットは支持板及び溝を備え、前記支持板は前記太陽光発電モジュールを取り付けるように設定され、前記溝は前記支持板の側辺に設置され、前記溝は建物表面に延在し且つ側面に突起のある垂直部材との係着に適すように設定される。前記太陽光発電モジュールはフレキシブル太陽電池モジュールであってもよく、建物表面に延在し且つ側面に突起のある前記垂直部材は直立シーム屋根のシーム部であってもよい。
【０００９】
本願は更に太陽光発電ユニットを提供し、太陽光発電モジュール及び本願に記載の溝型取り付けブラケットを備え、前記太陽光発電モジュールは前記溝型取り付けブラケットの支持板に取り付けられる。前記太陽光発電モジュールは裏面が前記支持板に接着されるフレキシブル太陽電池モジュールであってもよく、前記太陽光発電ユニットは直立シーム屋根に直接係止して取り付けるように設定されてもよい。
【００１０】
本願は更に直立シーム屋根に太陽光発電モジュールを取り付ける方法を提供し、溝型取り付けブラケットによって太陽光発電モジュールを直立シーム屋根の２つのシーム部の間に取り付けすることと、前記太陽光発電モジュールを直列接続又は並列接続し、発電システムの接続を完了することと、を含む。前記太陽光発電モジュールはフレキシブル太陽電池モジュールであってもよい。
【発明の効果】
【００１１】
本願の上記解決手段における溝型取り付けブラケット及び太陽光発電ユニットによって、太陽光発電モジュール例えばフレキシブル太陽電池モジュールを建物表面例えば直立シーム屋根に取り付けることができる。溝型取り付けブラケットが溝によって建物表面の従来の構造、例えば直立シーム屋根のシーム部に直接係止することができ、建物表面に更に支持構造及び接続構造を設置する必要がないため、便利に、柔軟に取り付けることができ、且つ作業量が少なく、建物表面例えば直立シーム屋根の元の屋根構造を破壊することもない。同時に、溝型取り付けブラケットの着脱動作も非常に簡単、便利である。フレキシブル太陽電池モジュールを溝型取り付けブラケットの支持板に固定するため、屋根に平坦な表面を有する必要がなく、取り付け表面の、フレキシブル太陽電池モジュールの取り付けに対する制限を避け、垂直部材のある建物表面例えば直立シーム屋根に分散型太陽光発電システムを構築することができる。また、溝型取り付けブラケットの構造が簡単で、重量が軽く、フレキシブル太陽電池モジュール及び溝型取り付けブラケットの建物構造に与えた負荷は小さく、建物への影響を低減し、フレキシブル太陽電池モジュールの取り付け適用範囲を広げる。
【００１２】
図面の概要及び本願の実施形態を精読且つ理解した後、他の態様を把握できる。
【図面の簡単な説明】
【００１３】
図面を参照しながら考慮する時、以下の詳細な説明を参照しながら、本願の実施例をより完全、より良く理解して、それに伴う多くの利点を容易に把握することができるが、ここで説明された図面は本願の実施例を更に理解するためのものであり、本願の実施例の一部になり、本願の例示的な実施例及びその説明は本願を解釈するためのものであって、本願を制限するためのものではない。図面において、
【００１４】
【図１】本願の実施例１の１つの例示的なフレキシブル太陽電池モジュールの溝型取り付けブラケットの模式図であり、支持板に孔がない。
【図２】図１における溝の部分拡大図である。
【図３】図１における垂直支持リブの構造模式図である。
【図４】本願の実施例１の別の例示的なフレキシブル太陽電池モジュールの溝型取り付けブラケットの模式図であり、支持板に孔がある。
【図５】本願の実施例１の１つの例示的なフレキシブル太陽光発電ユニット（前置接続箱）の模式図であり、該フレキシブル太陽光発電ユニットを直立シーム屋根に取り付けることができる。
【図６】本願の実施例１の別の例示的なフレキシブル太陽光発電ユニット（後置接続箱）の模式図であり、該フレキシブル太陽光発電ユニットを直立シーム屋根に取り付けることができる。
【図７】図６に示すフレキシブル太陽光発電ユニット（後置接続箱）の裏面模式図である。
【図８】本願の実施例１のフレキシブル太陽電池モジュールの溝型取り付けブラケットを直立シーム屋根に取り付ける模式図である。
【図９】本願の実施例１の溝型取り付けブラケットにフレキシブル太陽電池モジュールを取り付ける模式図である。
【図１０】直立シーム屋根板を重ね継ぎした模式図である。
【図１１】図２における溝及びシーム部を合わせて係着する模式図である。
【図１２】図２における溝のＶ型部を円弧状部に変更してからシーム部に合わせて係着する模式図である。
【図１３】本願の実施例３の溝型取り付けブラケットの溝が建物表面に延在する垂直部材に合わせて係着される模式図である。
【図１４】本願の実施例３の建物表面に延在する垂直部材が縦横に交錯する模式図である。
【図１５】本願の実施例４に係る建物表面の垂直部材の単一側面に突起を有する時、溝型取り付けブラケットの溝が垂直部材に合わせて係着される模式図である。
【図１６】本願の実施例７に係るフレキシブル太陽電池モジュールの取り付け方法のフローチャートである。
【図１７】本願の実施例７に係る１つの例示的なフレキシブル太陽電池モジュールの取り付け方法のフローチャートである。
【図１８】本願の実施例７に係る別の例示的なフレキシブル太陽電池モジュールの取り付け方法のフローチャートである。
【図１９】図１８に示す方法で直立シーム屋根にフレキシブル太陽電池モジュールを取り付ける模式図である。
【発明を実施するための形態】
【００１５】
以下、図面を参照しながら実施例によって本願を更に説明する。
【００１６】
以下、本願の実施例を詳しく説明し、前記実施例の例は図面に示されるが、常に同じ又は同様の符号は、同じ又は類似の素子又は同じ又は類似の機能を有する素子を示す。以下、図面を参照しながら説明した実施例は例示的なものであり、本願を解釈するためのものであって、本願を制限するためのものではない。
【００１７】
本願の説明において、専門用語「上」、「下」、「内」、「外」、「軸線方向」、「外側」、「対向側」等で示す方角又は位置関係は図面に示す方角又は位置関係であり、本願を説明しやすくし、説明を簡素化するためのものであり、説明された構造が特定の方角を有し、特定の方角で構築及び操作することを指示又は示唆するためのものではなく、このため、本願を制限するためのものであると理解すべきではない。
【００１８】
実施例１
【００１９】
本願における溝型取り付けブラケットは取り付け用溝型ブラケットと称されてもよい。
【００２０】
本実施例における前記フレキシブル太陽電池モジュールは、銅インジウムガリウムセレン薄膜太陽電池モジュール、アモルファスシリコン薄膜太陽電池モジュール、アモルファスシリコンゲルマニウム薄膜太陽電池モジュール、テルル化カドミウム薄膜太陽電池モジュール、ガリウムヒ素薄膜太陽電池モジュール、又は有機薄膜太陽電池モジュールを備える。
【００２１】
本実施例のフレキシブル太陽電池モジュールの溝型取り付けブラケットの材質が弾性材質であり、一つの例において、溝型取り付けブラケットの材質は金属であり、アルミニウム、アルミニウム合金、ステンレス、銅、銅合金、亜鉛めっき鋼板等を含む。
【００２２】
前記溝の形状は金属屋根板の直立辺接続済みの形状にマッチングし、溝が金属屋根板の直立辺接続済みの形状に締りばめされる。
【００２３】
本願の目的、技術案及び利点をより明らか、明確にするために、以下、図面を参照しながら実施例によって本願を更に説明する。
【００２４】
図１に示すように、フレキシブル太陽電池モジュールの溝型取り付けブラケット１００であって、前記溝型取り付けブラケット１００は支持板１、溝３及び垂直支持リブ２を備え、前記支持板１は長方形であり、前記支持リブ２は支持板１の長辺方向に設置され、前記溝３は支持板１の短辺に設置され、支持板１の長さが直立シーム屋根のピーク幅の整数倍である。
【００２５】
前記溝３は前記支持板の対向する２つの側辺に設置され、直立シーム屋根の２つのシーム部に合わせて係止すればよく、例えば、前記支持板１の２つの長辺に設置されてもよい。それに対して、前記溝が設置される前記支持板の２つの側辺同士の間隔は前記直立シーム屋根のピーク幅の整数倍であり、例えば、溝３が支持板１の短辺に設置される時、支持板１の長さが直立シーム屋根のピーク幅の整数倍であるが、溝３が支持板１の長辺に設置される時、支持板１の幅が直立シーム屋根のピーク幅の整数倍である。
【００２６】
図２に示すように、前記溝３の外部と直立シーム屋根のシーム部との接触部に分離・摩擦防止のためのフレキシブルガスケット４が設置され、前記フレキシブルガスケット４及び溝３が接着剤で接着され、又は皿頭リベットで接続される。
【００２７】
前記フレキシブルガスケット４は、ゴム、樹脂、繊維又はプラスチックで構成されている。
【００２８】
図３に垂直支持リブ２を示し、支持板１の長辺方向を図３に示す垂直支持リブ２のように曲げる必要があり、垂直剛性を提供することに用いられる。
【００２９】
図４に示すように、前記支持板１に丸孔１０が均一に配置され、前記丸孔の総面積は支持板１の総面積の２４％である。本願において、丸孔１０が減量孔とも称される。
【００３０】
前記支持板１にフレキシブル太陽電池モジュールの接続箱を収容する角孔１１が設置され、背部に接続箱が設置されるフレキシブル太陽電池モジュールに対して、前記接続箱は該角孔をちょうど貫通する。
【００３１】
前記支持リブ２の支持板１の短辺寄りの片側に電線を貫通させる孔２１が設置され、本願において、電線を貫通させる前記孔２１は第一ワイヤ通過孔とも称される。
【００３２】
図５に示すように、直立シーム屋根に取り付けられるフレキシブル太陽光発電ユニットを提供し、上記溝型取り付けブラケット１００及びフレキシブル太陽電池モジュール５を備え、前記フレキシブル太陽電池モジュール５は前記支持板１に接着され、前記フレキシブル太陽電池モジュール５の大きさが支持板１の大きさと同じである。
【００３３】
図６、図７に示すように、前記フレキシブル太陽電池モジュール５の接続箱５１は、裏面、前記支持板１に接続箱５１を収容する角孔１１が開けられ、接続箱５１は二本の正負極電線５１０、５１１を備え、前記二本の電線５１０、５１１はそれぞれ二本の支持リブ２の孔２１を貫通する。
【００３４】
図８、図９に示すように、直立シーム屋根７にフレキシブル太陽電池モジュール５を取り付ける方法であって、
上記フレキシブル太陽電池モジュール５の溝型取り付けブラケット１００を設定された間隔で配列し、直立シーム屋根７の２つのシーム部７０の間に係止するステップ（１）と、
前記支持板１は直立シーム屋根７において格子状プラットフォームを形成し、フレキシブル太陽電池モジュール５を底板（溝型取り付けブラケット１００の支持板１）に断続的に接着して取り付け、一体の太陽電池アレイを形成するステップ（２）と、
フレキシブル太陽電池モジュール５を直列接続又は並列接続し、発電システムの接続を完了するステップ（３）と、を含む。
【００３５】
前記直立シーム屋根７にフレキシブル太陽光発電ユニットを取り付ける方法であって、
上記直立シーム屋根７に取り付けられるフレキシブル太陽光発電ユニットを直立シーム屋根７の２つのシーム部７０の間に直接係止するステップ（１）と、
フレキシブル太陽電池モジュール５を直列接続又は並列接続し、発電システムの接続を完了するステップ（２）と、
溝３と直立辺シーム部７０との接触位置にシリコン構造用接着剤を塗装して固定するステップ（３）と、を含む。
【００３６】
要するに、本実施例はフレキシブル太陽電池モジュールの溝型取り付けブラケットの構造設計によって、同時にフレキシブル太陽電池モジュールのフレキシブルで弯曲可能、確実にパッケージできる、応力耐性が高いといった特徴を利用して、フレキシブル太陽電池モジュールに適用する取り付け方法を実現し、合金板の重量が軽いため、取り付けシステムの総質量が従来のブラケット取り付けシステムの２０〜２５％のみであり、且つ建物表面のフレキシブル太陽電池モジュールの取り付けに対する制限を避け、フレキシブル太陽電池モジュールの迅速な着脱を実現し、適用柔軟性を向上させる。
【００３７】
実施例２
【００３８】
本実施例は溝型取り付けブラケットに関し、前記溝型取り付けブラケットはフレキシブル太陽電池モジュールを直立シーム屋根に取り付けることに用いられる。
【００３９】
図１０は直立シーム屋根板７２を重ね継ぎした模式図であり、図示のように、直立シーム屋根板７２は一般的に金属薄板材をロール成形してなり、底板及び底板の両側からそれぞれ上向きに延在する２つのシーム部（重ね継ぎ部、直立辺シーム部と称されてもよい）７０を含み、２つのシーム部７０を、屋根構造に固定される支持台７３によって支持し、２つのシーム部７０の端部には噛み合うことができるフック型カーリング部を形成する。重ね継ぎプロセス（接続プロセスとも称される）において、用具で隣接する直立シーム屋根板７２の２つのシーム部７０の端部を噛み合わせて密着して接続され、複数の直立シーム屋根板７２が互いに重ね継ぎて直立シーム屋根７を形成する。直立シーム屋根板７２の両側のシーム部７０が直立シーム屋根７全体から突出し、ピーク７１を形成し、隣接するピーク７１同士の間隔がＤである。
【００４０】
図１０に示すように、直立シーム屋根７のシーム部（噛み合った後）７０の端部断面が略円形であり、このため、シーム部７０の２つの側面にいずれも突起７４がある。図８に示すように、全体的には、シーム部７０は直立シーム屋根７の長手方向に延在し、間隔を置いて配列される。
【００４１】
図１〜図３に示すように、本実施例の一例は溝型取り付けブラケット１００を提供し、支持板１及び溝３を備え、支持板１はフレキシブル太陽電池モジュール５を取り付けるように設定され、溝３は支持板１の側辺に設置され、溝３は直立シーム屋根のシーム部７０との係着に適すように設定される。
【００４２】
本実施例において、溝型取り付けブラケット１００によってフレキシブル太陽電池モジュール５を直立シーム屋根７に取り付ける。溝型取り付けブラケット１００は溝３によって直立シーム屋根７の従来のシーム部７０に直接係止することができるため、直立シーム屋根７に更に支持構造及び接続構造を設置する必要がなく、便利、柔軟に取り付けることができ、且つ作業量が少なく、直立シーム屋根７の元の屋根構造を破壊することもない。同時に、溝型取り付けブラケット１００の着脱動作も非常に簡単、便利であり、フレキシブル太陽電池モジュール５の迅速な着脱を実現する。フレキシブル太陽電池モジュールを溝型取り付けブラケット１００の支持板１に固定し、屋根に平坦な接着表面がある必要がないため、取り付け表面のフレキシブル太陽電池モジュールの取り付けに対する制限を避け、突出部材のある建物表面例えば直立シーム屋根に適用され、分散型太陽光発電システムを構築することができる。また、溝型取り付けブラケット１００は構造が簡単で、重量が軽く、フレキシブル太陽電池モジュール５及び溝型取り付けブラケット１００が直立シーム屋根７及び建物構造に与えた負荷は小さく、建物への影響を低減し、フレキシブル太陽電池モジュール５の取り付け適用範囲を広げる。
【００４３】
本実施例において、溝型取り付けブラケット１００は一体構造であり、その全体の構造強度が高い。本実施例において、溝型取り付けブラケット１００はシーム部７０と同じ材質を用いて、溝型取り付けブラケット１００を直立シーム屋根板７２の加熱膨張・冷却収縮効果と略同じにして、両者の確実な接続に役立つ。一例において、溝型取り付けブラケット１００はアルミニウム板を用いて、アルミニウム板の表面に対して陽極酸化処理を行う。別の例において、溝型取り付けブラケット１００はガルバリウム鋼板を用いて、亜鉛めっき量が１平方メートル当たりに１５０グラム以上である。また、溝型取り付けブラケット１００が他の金属板材、例えばアルミニウム合金、ステンレス、銅、銅合金、亜鉛めっき鋼板等を用いてもよい。
【００４４】
本実施例において、支持板の上板面はフレキシブル太陽電池モジュールを接着した表面として設定される。図１に示す例において、支持板１がまる一枚の板であるが、接合してなるものであってもよい。本実施例において、支持板１は長方形であり、長さ×幅の範囲が２ｍ×０．４ｍ〜１０ｍ×１ｍであってもよい。つまり、支持板１の長さ範囲が２ｍ〜１０ｍであり、幅範囲が０．４ｍ〜１ｍである。いくつかの例において、支持板１の長さ×幅が４ｍ×０．５ｍ、２．１ｍ×０．５ｍ又は６ｍ×０．５ｍである。支持板１は他の形状であってもよく、例えば、２つの平行側辺を含むが、該２つの平行側辺の間に接続されるのが２つの円弧状辺であり、該２つの対向する円弧状辺の中央が２つの平行側辺に対して狭くなってもよいし、広くなってもよい。例えば、支持板が台形であってもよい等がを含れる。
【００４５】
図４に示す本実施例の別の例において、支持板１に減量孔１０が設けられる。減量孔１０によってブラケット１００の重量を軽くし、更にフレキシブル太陽電池モジュール５を取り付ける時の建物の負荷を低減することができる一方、減量孔１０はフレキシブル太陽電池モジュール５を支持板１に取り付ける時に放熱孔として使用されてもよく、フレキシブル太陽電池モジュール５の動作時の放熱に役立つ。図４に示す減量孔１０は円形の貫通孔であって、支持板１に整然として配置される（例えば均一に配置される）。理解すべきことは、減量孔１０は他の形状の孔、例えば矩形孔、楕円孔等であってもよい。貫通孔であってもよいし、止まり穴であってもよい。支持板１に開設される減量孔１０の面積の和を支持板１の上板面面積の２０％〜６０％（例えば２４％）として設定してもよく、このように、支持板１の支持強度を満たすながら、溝型取り付けブラケット１００の重量を軽くすることができる。しかしながら、支持板１に開設される減量孔１０の面積の和を実際の必要に応じて設定すべきであり、上記範囲に限らない。支持板に減量孔を設置することによって、溝型取り付けブラケットの重量を大幅に軽くし、太陽光発電システム自体の重量を軽くし、太陽光発電システムをより多くの場合に適用させることができる。
【００４６】
図４に示す例において、支持板１に更に装着口１１が形成され、装着口１１がフレキシブル太陽電池モジュールの接続箱を収容するように設定される。その形状が接続箱の形状にマッチングし、図示のように、矩形つまり角孔であるが、円形等の他の形状であってもよい。支持板１にフレキシブル太陽電池モジュールの接続箱を収容する装着口１１を設置することによって、フレキシブル太陽電池モジュール５の裏面を溝型取り付けブラケット１００のの支持板１の板面に完全に貼合させることができ、フレキシブル太陽電池モジュールの取り付け固定に役立つ。本実施例の別の例において、支持板１に取り付けられるフレキシブル太陽電池モジュールの接続箱が前置のものであるため、該別の例の溝型取り付けブラケットは図４に示す溝型取り付けブラケット１００を基に、支持板１の装着口１１を除去し、支持板１の板面全体に減量孔１０を均一に設置し、他の構造いずれもが図４に示す溝型取り付けブラケットと同様であってもよい。
【００４７】
図１に示す例において、溝型取り付けブラケット１００の支持板１が長方形であり、支持板１の対向する２つの側辺に２つの溝３が設置され、２つのシーム部７０に係着して合わせ、溝型取り付けブラケット１００を固定するように設定される。２つの溝３同士の距離を直立シーム屋根７の隣接するピーク７１同士の間隔Ｄの整数倍として設定してもよく、同時に図８を参照してもよい。ただし、該距離は非常に正確であるように要求されず、溝３がシーム部７０に直接係着できるように確保すればよい。図示される２つの溝３が支持板１の２つの対向する短辺に設置されるが、支持板１の２つの対向する長辺に設置されてもよい。支持板の長さ又は幅を直立シーム屋根の隣接するピーク同士の間隔Ｄの整数倍として設定し、支持板が２つのシーム部の間に直接係止でき、他の処理を行う必要がなく、非常に便利である。
【００４８】
本実施例において、溝３及び支持板１が一体成形され、支持板１の側辺から下向きに曲げてなり、このように、容易に加工製造でき、容易に取り付けることもできる。２つの溝３が支持板１の短辺の縁部に設置される時、支持板１の長さ（２つの短辺同士の距離）を直立シーム屋根７の隣接するピーク７１同士の間隔Ｄの整数倍として設定してもよい。溝３が支持板１の長辺の縁部に設置される時、支持板１の幅（２つの長辺同士の距離）を間隔Ｄの整数倍として設定する。他の実施例において、溝３が支持板１の側辺に設置され、支持板１の縁部寄りの箇所に設置されてもよく、側辺の縁部にぴったりと設置されなくてもよい。溝３は支持板１と分離するデバイスを用いてもよく、螺接、係着等によって支持板１に接続される。
【００４９】
本実施例において、溝３は少なくとも溝型部を備え、溝型部の形状がシーム部側面の突起の形状にマッチングするように設定される。２つの溝３の溝口部（つまり溝型部の開口部）がいずれも溝型取り付けブラケット１００の外側に向かっている。図２、図１１に示す例において（表示の便宜上、図１１にシーム部７０端部の輪郭のみを描き、円形表面を用いる）、２つの溝３の溝型部はいずれもＶ型部３１であり、溝口部はＶ型部３１の開口部であり、２つのＶ型部３１の開口部はいずれも溝型取り付けブラケット１００の外側に向かっている。２つのＶ型部３１はそれぞれ２つのシーム部７０の側面の対向する突起と合わせて溝３と２つのシーム部７０との係着を実現し、溝型取り付けブラケット１００を２つのシーム部７０の間に係止する。係着時、シーム部７０側面の突起７４は溝３のＶ型部３１に入ってＶ型部３１を押し出し、それにより溝３の上下移動を制限することで、しっかりと係着される。本実施例において、溝３は更にＶ型部３１の上部に設置される補強部３２及びＶ型部３１の下部に設置される内向きに延在する下曲げエッジ３０を備える。補強部３２は支持板１に接続され、溝３の構造強度を強化することができる。下曲げエッジ３０も溝３の構造強度を強化することができ、係着合わせの安定性を向上させる。ただし、溝３を構成する板材の強度は十分で比較的厚い金属板材を用いる場合、補強部３２及び下曲げエッジ３０のうちの１つ又は複数を除去して設置しなくてもよい。本実施例の別の例において、図１２に示すように、溝３の溝型部が円弧状部３３であり、このような溝３はシーム部７０との合わせ係着にも適す。
【００５０】
図２に示す例において、溝型取り付けブラケット１００は更にフレキシブルガスケット４を備え、フレキシブルガスケット４は溝３と直立シーム屋根７のシーム部７０との接触部に取り付けられる。フレキシブルガスケット４によって溝３及びシーム部７０を分離し、それらの摩擦による損傷を防止することができ、そのフレキシブルによってしっかりと係着することができる。図２において、フレキシブルガスケット４は溝３のＶ型部３１及び下曲げエッジ３０に取り付けられる。フレキシブルガスケット４と溝３とが接着剤で接着されてもよく、又は皿頭リベットで接続されてもよいが、本願はそれらに限らない。フレキシブルガスケット４の材質がゴム、樹脂、繊維又はプラスチックであってもよいが、それらに限らない。これらの材質を用いたフレキシブルガスケットは重量が軽く、コストが低い。本願に対して、フレキシブルガスケット４は選択可能なものである。
【００５１】
本実施例において、溝型取り付けブラケット１００は更に支持板１に設置される支持リブ２を備える。支持リブ２及び溝３がそれぞれ支持板１の異なる側辺に位置する。図１、図３及び図４に示すように、溝３が設置されていない支持板１の対向する２つの側辺に二本の支持リブ２が設置され、図示される例において、支持リブ２が長方形の支持板１の長辺に設置される。支持リブ２によって支持板１の構造強度を強化することで、支持板１によってフレキシブル太陽電池モジュール５を確実に固定するように確保することができる。図３に示す例において、支持リブ２が支持板１の長辺を下向きに曲げてなる垂直支持リブであり、支持板１に垂直剛性を提供する。理解すべきことは、支持リブ２が更に他の形式例えば支持板１の下板面に設置される凸リブ等を用いてもよい。また、支持板１自体の構造強度が十分である場合、支持リブ２を設置しなくてもよい。
【００５２】
図４に示す例において、二本の支持リブ２の装着口１１寄りの片側に更に第一ワイヤ通過孔２１が設置される。第一ワイヤ通過孔２１が前記太陽光発電モジュールに接続される電線を貫通させ、電線を所定の経路に沿って配線させるように設定され、それにより勝手に配線することで電線絶縁層が損傷し、早く劣化するといった問題を避ける。
【００５３】
実施例３
【００５４】
本実施例は溝型取り付けブラケットに関する。
【００５５】
本実施例において、フレキシブル太陽電池モジュールを、溝型取り付けブラケットによって建物表面に取り付ける必要があり、建物表面が屋根であってもよいし、壁面であってもよい。また、建物表面の材料が金属材料で製造されてもよいし、非金属材料で製造されてもよい。建物表面には建物表面から上向きに突出して建物表面に延在する垂直部材を有する。本願において、垂直部材とは建物表面に突出する建物部材を意味し、実施例１のシーム部がその一種である。本実施例において、建物表面に延在する垂直部材が２つの側面を有し、その１つ又は２つの側面に突起があり、該突起が垂直部材側面の端部に位置してもよいし、垂直部材側面の他の位置に位置してもよく、突起の断面形状が円弧状、矩形、三角形等であってもよい。
【００５６】
本実施例の一例において、図１３に示すように、建物表面に延在する垂直部材８０の２つの側面にいずれも突起８１があり、その断面が略矩形形状である。本実施例の溝型取り付けブラケット１００′は支持板１′及び溝３′を備え、支持板１′は太陽光発電モジュールを取り付けるように設定され、溝３′は支持板１′の側辺に設置され、溝３′は建物表面に延在する垂直部材８０との係着に適すように設定される。溝型取り付けブラケット１００′は更に支持リブ２′を備えてもよい。支持板１′及び支持リブ２′の設置は実施例１に説明される任意の支持板１、支持リブ２と同様であってもよい。
【００５７】
図１３に示すように、垂直部材８０側面の突起８１の形状にマッチングするために、本実施例の溝３′の溝型部がＵ型部３４を用いて、２つの溝３′のＵ型部の開口部がいずれも溝型取り付けブラケット１００′の外側に向かっており、それによりそれぞれ間隔のある２つの垂直部材８０側面における対向する２つの突起８１に合わせて係着される。Ｕ型部３４の上部に補強部３２′が設置されるが、下曲げエッジが設置されていない。理解可能なことは、溝３′の溝型部はある特定の形状に限らず、建物表面に延在する垂直部材８０側面の突起の形状にマッチングし、確実に係着できればよく、例えば、円弧状部、Ｖ型部等であってもよい。
【００５８】
本実施例の一例において、垂直部材８０は建物表面の２つの縦横方向に延在して交差し、図１４に示す屋根平面図を例として、屋根に延在する垂直部材８０を矩形格子状に配列する。このため、溝型取り付けブラケット１００′の２つ又は３つ又は４つの側辺にそれぞれ溝３′を設置し、矩形格子周辺の２つ又は３つ又は４つの垂直部材に係着することができる。理解可能なことは、建物表面に延在する垂直部材が他の形状の格子を呈する時（例えば三角形ネットワーク、五角形ネットワーク、六角形ネットワーク等）、それに応じて、支持板１′の形状、溝３′の設置箇所及び数がいずれも変化して、実際の取り付け要件を満たすことができる。例えば、支持板１′が三角形であってもよく、この時、支持板１′の３つの側辺にいずれも溝３を設置することができる。例えば、支持板１′が六角形であってもよく、この時、支持板１′の一組、二組又は三組の対向する側辺に２つ、４つ又は６つの溝３を設置してもよい等が挙げられる。
【００５９】
理解可能なことは、本実施例において、溝型取り付けブラケットによってフレキシブル太陽電池モジュールを垂直部材のある建物表面に取り付け、溝型取り付けブラケットが溝によって建物表面の従来の垂直部材に直接係止でき、更に支持構造及び接続構造を設置する必要がないため、便利、柔軟に取り付けることができ、且つ作業量が少なく、建物表面の元の構造を破壊することもない。同時に、溝型取り付けブラケットの着脱動作も非常に簡単、便利である。且つ、建物表面に平坦な表面を有する必要がなく、取り付け表面のフレキシブル太陽電池モジュールの取り付けに対する制限を避け、垂直部材のある建物表面に分散型太陽光発電システムを構築することができる。また、溝型取り付けブラケットは構造が簡単で、重量が軽く、直立シーム屋根及び建物構造に与えた負荷が小さく、建物への影響を低減し、フレキシブル太陽電池モジュールの取り付け適用範囲を広げる。
【００６０】
実施例４
【００６１】
本実施例は溝型取り付けブラケットに関する。
【００６２】
本実施例において、建物表面に延在する垂直部材８０′の１つの側面のみに突起８１′があり、断面形状が円弧状、三角形、矩形等であってもよく、図１５では矩形を例とする。本実施例の溝型取り付けブラケット１００′′は実施例３の溝型取り付けブラケット１００′と基本的に同様であり、相違点は、溝型取り付けブラケット１００′′の対向する２つの側辺に設置される２つの溝３′′のうち、１つの溝３′′の溝口部（図面において右側溝３′′のＵ型部の開口部）が溝型取り付けブラケット１００′′の外側に向かっており、もう１つの溝３′′の溝口部（図面において左側溝３′′のＵ型部の開口部）が溝型取り付けブラケット１００′′の内側に向かっていることである。図面において該２つの溝口部がいずれも右側に向かっているが、溝型取り付けブラケット１００′′に対して、該２つの溝口部のうち、一方が外側に向かっており、他方が内側に向かっており、前の実施例と異なる。
【００６３】
取り付ける時、図１５に示すように、垂直部材８０′側面の突起８１′がいずれも図面における左側に向かっているため、２つの溝３′′がそれぞれ２つの間隔のある垂直部材８０′に合わせて係着され、それにより溝型取り付けブラケット１００′′を２つの垂直部材８０′の間に係止することができる。２つの溝３′′の溝口部がいずれも溝型取り付けブラケット１００′′の外側に向かっている場合、取り付けを実現できない。理解可能なことは、垂直部材８０′側面の突起８１′の形状が異なる時、本実施例の溝３′′の溝型部が他の形状例えばＶ型部、円弧状部等であってもよい。
【００６４】
上記実施例において、建物表面に延在する垂直部材が非金属材質である時、溝型取り付けブラケットが非金属材質例えばプラスチックを用いてもよい。
【００６５】
理解可能なことは、別の実施例において、溝型取り付けブラケットの対向する両側に設置される溝の溝口部がいずれも溝型取り付けブラケットの内側に向かって、異なる建物表面構造の取り付け要件を満たすことができる。例えば、建物表面に延在する垂直部材が単一の側面に突起をなすが、隣接する二列の垂直部材は突起を有する側面が異なることである。
【００６６】
実施例５
【００６７】
本実施例はフレキシブル太陽電池モジュール及び溝型取り付けブラケットを備えるフレキシブル太陽光発電ユニット、フレキシブル太陽電池モジュールの接続箱前置に関する。
【００６８】
フレキシブル太陽電池モジュールが銅インジウムガリウムセレン薄膜太陽電池モジュール、アモルファスシリコン薄膜太陽電池モジュール、アモルファスシリコンゲルマニウム薄膜太陽電池モジュール、テルル化カドミウム薄膜太陽電池モジュール、ガリウムヒ素薄膜太陽電池モジュール、又は有機薄膜太陽電池モジュールのうちのいずれか１つであってもよい。
【００６９】
フレキシブル太陽電池モジュール５はモジュール本体５０及び接続箱５１を備え、モジュール本体５０はフレキシブルを有し、太陽光発電機能を有し、接続箱５１はモジュール本体５０の正面又は裏面に設置されてもよい。接続箱５１がモジュール本体５０の正面に設置される時、接続箱前置と称され、接続箱５１がモジュール本体５０の裏面に設置される時、接続箱後置と称される。本実施例は接続箱５１前置のフレキシブル太陽電池モジュール５に関する。
【００７０】
本実施例において、図４に示す溝型取り付けブラケット１００を利用し、フレキシブル太陽電池モジュール５の裏面を溝型取り付けブラケット１００の支持板１に固定して、本例のフレキシブル太陽光発電ユニットを得て、図５に示される。一例において、フレキシブル太陽電池モジュール５の裏面を支持板１の上板面に接着し、接着方式が簡単で、容易であり、取り付け効率が高い。しかしながら、他の例において、フレキシブル太陽電池モジュール５を平坦面に固定する他の方式を用いてもよい。
【００７１】
フレキシブル太陽電池モジュール５正面の接続箱５１と支持板１との間に設置すると干渉することがなく、支持板１に接続箱５１を収容する装着口を設置してなくてもよい。このため、図４に示す溝型取り付けブラケット１００を基に、支持板１の装着口１１を除去し、支持板１の板面全体に減量孔１０を均一に設置することにより、本実施例の別の例に使用される溝型取り付けブラケットを得ることもでき、該溝型取り付けブラケットを利用して得たフレキシブル太陽光発電ユニットも図５に示される。本実施例の別の例において、フレキシブル太陽光発電ユニットは図１に示す溝型取り付けブラケット１００を用いてもよい。
【００７２】
接続箱５１に一般的に二本の正負極電線５１０、５１１が接続され、二本の電線５１０、５１１を予め接続してもよいし、取り付ける時に接続してもよい。本実施例において、溝型取り付けブラケット１００の二本の支持リブ２に第一ワイヤ通過孔２１が開設され、それにより電線５１０、５１１を貫通させ、フレキシブル太陽電池モジュール５同士の電気的接続例えば直列接続、並列接続等を実現し、更に太陽光発電システムを形成する。しかしながら、第一ワイヤ通過孔２１を設置せず、電線５１０、５１１を支持リブ２の下方から通過させてもよい。図５に示すように、二本の支持リブ２の第一ワイヤ通過孔２１はいずれも接続箱５１寄りの片側に開設され、この時、配線距離が最も短く、容易に配線できる。二本の正負極電線５１０、５１１はそれぞれ二本の支持リブ２に開設されるワイヤ通過孔を貫通し、隣接するフレキシブル太陽電池モジュール同士の直列接続、並列接続等の接続に役立つ。
【００７３】
接続箱５１前置、電線５１０、５１１をまず支持板１の接続箱５１寄りの片側縁部に設置される１つ又は２つの減量孔１０から支持板１の下方に貫通させ、次に二本の支持リブ２の第一ワイヤ通過孔２１をそれぞれ貫通する。支持板１の片側縁部に設置される該１つ又は２つの減量孔１０は第二ワイヤ通過孔１２と称されてもよく、別の例において、溝型取り付けブラケットの支持板１に減量孔１０が設置されず、この時、接続箱５１寄りの片側縁部に第二ワイヤ通過孔１２を増設することができる。支持板１に第二ワイヤ通過孔１２を開設し、接続箱５１がフレキシブル太陽電池モジュール５正面に設置される場合と合わせて、接続箱５１から引き出し又はそれに挿入した電線を、支持板に開設されるワイヤ通過孔を貫通させ、電線を溝型取り付けブラケット内に配線できるようにして、フレキシブル太陽電池モジュールの表面に悪影響を与えず、採光及び美観に役立つ。
【００７４】
図５に示す例において、フレキシブル太陽電池モジュール５の大きさ（モジュール本体５０裏面の面積を指す）が支持板の大きさ（支持板１上板面の面積を指す）より少々小さく、容易に配線できる。しかしながら、フレキシブル太陽電池モジュール５の大きさが支持板の大きさと等しくてもよく、この時、支持リブ２外側面にフック、リング又は他の構造を設置することにより電線を収めることができる。
【００７５】
実施例６
【００７６】
本実施例はフレキシブル太陽光発電ユニット、フレキシブル太陽電池モジュールの接続箱後置に関する。
【００７７】
本実施例は図４に示す溝型取り付けブラケット１００を利用し、フレキシブル太陽電池モジュール５の裏面を支持板１に固定例えば接着する時、図６、図７にフレキシブル太陽電池モジュール５及び溝型取り付けブラケット１００の組み立て構造を示し、接続箱５１を避ける、収容するために、支持板１に接続箱５１を収容する装着口１１が開設され、取り付ける時に、接続箱５１は該装着口１１を貫通し、それにより支持板１と干渉することを避ける。二本の支持リブ２の接続箱５１寄りの片側に第一ワイヤ通過孔２１が設置され、接続箱５１に接続される二本の正負極電線５１０、５１１はそれぞれ２つの第一ワイヤ通過孔２１を貫通し、それによりフレキシブル太陽電池モジュール５同士の電気的接続を実現し、太陽光発電システムを構築する。図示される装着口１１が四角形の貫通孔である。理解すべきことは、装着口１１の形状が四角形に限らず、接続箱を避け、収容できればよい。
【００７８】
本実施例において、フレキシブル太陽電池モジュール５の大きさが支持板１の大きさ以下であってもよい。
【００７９】
説明すべきことは、以上の各実施例はいずれもフレキシブル太陽電池モジュールの取り付けを例として説明したが、本願において、他のタイプの太陽光発電モジュールも、本願の溝型取り付けブラケットを用いて直立シーム屋根等の建物表面に取り付けることができ、これらの建物表面に垂直部材が延在するが垂直部材側面に突起があり、溝に合わせて係着できればよく、支持板の平坦面は、他のタイプの太陽光発電モジュールを取り付けることに用いることができる。それに応じて、太陽光発電モジュール及び溝型取り付けブラケットを備えるユニットが太陽光発電ユニットと称されてもよく、以上の各実施例のフレキシブル太陽光発電ユニットが直立シーム屋根に直接係止して取り付けに適す太陽光発電ユニットである。
【００８０】
実施例７
【００８１】
本実施例は太陽光発電モジュールの取り付け方法に関し、フレキシブル太陽電池モジュールが溝型取り付けブラケットによって直立シーム屋根に取り付けられる。
【００８２】
本実施例において、図１６に示すように、直立シーム屋根に太陽光発電モジュールを取り付ける方法は、
溝型取り付けブラケットによって太陽光発電モジュールを直立シーム屋根の２つのシーム部の間に取り付けるＳ１００と、
前記太陽光発電モジュールを直列接続又は並列接続し、発電システムの接続を完了するＳ２００と、を含み、
本実施例の溝型取り付けブラケットが上記実施例に説明されるいずれか１つの溝型取り付けブラケットを用いてもよい。
【００８３】
本実施例の２つの例において、前記太陽光発電モジュールがフレキシブル太陽電池モジュールであり、異なる方式でステップＳ１００を実現し、第一例において、まず溝型取り付けブラケットを直立シーム屋根の２つのシーム部の間に係止し、次にフレキシブル太陽電池モジュールを溝型取り付けブラケットの支持板に取り付ける。第二例において、まずフレキシブル太陽電池モジュールを溝型取り付けブラケットの支持板に取り付けて、フレキシブル太陽光発電ユニットを形成し、次に溝型取り付けブラケットを直立シーム屋根の２つのシーム部の間に係止する。
【００８４】
図１７に示すように、本実施例の第一例のフレキシブル太陽電池モジュールの取り付け方法は、以下を含む。
【００８５】
Ｓ１０２、溝型取り付けブラケット１００を直立シーム屋根７の２つのシーム部７０の間に係止する。
【００８６】
本ステップにおいて、溝型取り付けブラケット１００が２つのシーム部７０の間に直接係止できる。図８に示すように、溝型取り付けブラケット１００を設定された間隔で配列し、直立シーム屋根７の２つのシーム部７０の間に係止する。図８は図１に示す溝型取り付けブラケットを例とするが、それに限らない。溝型取り付けブラケット１００の２つの溝３がそれぞれ２つのシーム部に係着される。複数の溝型取り付けブラケット１００が屋根の垂直方向（つまり直立シーム屋根板の延在方向）に所定の距離を置いて配列され、水平方向に連続して配列され又は交差して配列されてもよく、屋根に格子状プラットフォームを形成する。
【００８７】
図１、図２に示す溝型取り付けブラケット１００を例とし、図１１に示すように、２つの溝３のＶ型部３１の開口部が外側に向かっており、取り付ける時に２つの溝３に内向きに押し出す力を与え、２つの溝３を内向きに曲げさせ、２つの溝３を２つのシーム部７０の間に下向きに移動し、Ｖ型部３１をシーム部７０端部の突起７４に対向させ、次に２つの溝３を緩め、２つの溝３が元の形状に戻した後、溝３とシーム部７０との係着を実現できる。上記実施例における他の溝型取り付けブラケットを利用する時、溝型取り付けブラケットを建物表面に延在する垂直部材の間に係止するプロセスはこれと類似であり、詳細な説明は省略する。
【００８８】
Ｓ１０４、フレキシブル太陽電池モジュール５を溝型取り付けブラケット１００に取り付ける。
【００８９】
図９に示す例において、フレキシブル太陽電池モジュール５の大きさが単一の溝型取り付けブラケットの支持板１の大きさより大きいため、フレキシブル太陽電池モジュール５が支持板１に断続的に接着して取り付けられ、つまり１つのフレキシブル太陽電池モジュール５が間隔を置いて設置される複数の溝型取り付けブラケット１００の支持板１に同時に接着される。フレキシブル太陽電池モジュール５が連続して配列し、格子状プラットフォームに一体の太陽電池アレイを形成する、又は、フレキシブル太陽電池モジュール５が互いに間隔を置いて、間隔のある太陽電池アレイを形成することができる。このような取り付け方式は、確実に取り付けるように確保する上で、溝型取り付けブラケット１００の使用量をできる限り減少し、コストを節約し、取り付け効率を向上させることができるだけでなく、建物負荷を減少させることもできる。
【００９０】
本実施例の別の例において、フレキシブル太陽電池モジュール５の大きさが溝型取り付けブラケット１００の支持板１の大きさと同じであり、又は支持板１の大きさより少々小さい場合、各フレキシブル太陽電池モジュール５が１つの溝型取り付けブラケット１００に接着され、間隔のある太陽電池アレイを形成することができる。別の例において、フレキシブル太陽電池モジュール５の大きさが溝型取り付けブラケット１００の支持板１の大きさと同じであり、又は支持板１の大きさより少々小さいが、溝型取り付けブラケット１００が屋根に連続して配列され（水平方向及び垂直方向にいずれも連続して配列される）、１つの一体式プラットフォームを形成し、この時、各フレキシブル太陽電池モジュールを１つの溝型取り付けブラケット１００に接着し、１つの一体の太陽電池アレイを形成することができる。
【００９１】
Ｓ１０６、フレキシブル太陽電池モジュール５を直列接続又は並列接続し、発電システムの接続を完了する。
【００９２】
本ステップにおいて、フレキシブル太陽電池モジュールが直列接続又は並列接続できるが、発電システム全体に対して、一部のフレキシブル太陽電池モジュールが直列接続され、一部のフレキシブル太陽電池モジュールが並列接続されてもよい。
【００９３】
溝型取り付けブラケット１００を直立シーム屋根７の２つのシーム部７０の間に係止する前または後に、例えばステップ１０４の後で、溝３とシーム部７０との接触箇所に接着剤を塗装して固定することができる。接着剤を塗装（例えばシリコン構造用接着剤を塗装する）によって溝型取り付けブラケット１００の溝３をシーム部７０に接着することにより、溝型取り付けブラケット１００とシーム部７０との接続をされに堅固にすることができ、フレキシブル太陽電池モジュール５の取り付けの堅固性の強化に役立つ。
【００９４】
図１８に示すように、本実施例の第二例のフレキシブル太陽電池モジュールの取り付け方法は、以下を含む。
【００９５】
Ｓ２０２、フレキシブル太陽光発電ユニットの溝型取り付けブラケット１００を直立シーム屋根７の２つのシーム部７０の間に係止する。
【００９６】
本実施例のフレキシブル太陽光発電ユニットは実施例５及び実施例６に説明されるいずれか１つのフレキシブル太陽光発電ユニットを利用できるが、それらに限らない。前記のように、フレキシブル太陽光発電ユニットが２つのシーム部７０の間に直接係止できる。
【００９７】
本ステップにおいて、フレキシブル太陽光発電ユニットが２つのシーム部７０の間に係止された構造は図１９に示される。図示の例において、溝型取り付けブラケット１００が屋根の垂直方向に所定の距離を置いて配列され、水平方向に連続して配列される。しかしながら、別の例において、溝型取り付けブラケット１００が屋根の垂直方向及び水平方向にいずれも連続して配列されてもよく、それにより光エネルギーを十分に利用する。
【００９８】
Ｓ２０４、フレキシブル太陽電池モジュール５を直列接続又は並列接続し、発電システムの接続を完了する。
【００９９】
本ステップにおいて、フレキシブル太陽電池モジュールは直列接続又は並列接続できるが、発電システム全体に対して、一部のフレキシブル太陽電池モジュールが直列接続され、一部のフレキシブル太陽電池モジュールが並列接続されてもよい。
【０１００】
フレキシブル太陽光発電ユニットを直立シーム屋根７の２つのシーム部７０の間に直接係止する前または後に、例えば、ステップＳ２０４の後で、更に溝３とシーム部７０との接触箇所に接着剤を塗装（例えばシリコン構造用接着剤等）することによって固定してもよい。
【０１０１】
本実施例のステップＳ２０２の前に、更に、フレキシブル太陽電池モジュールを溝型取り付けブラケットに固定（例えば接着）して、フレキシブル太陽光発電ユニットを形成することを含んでもよい。
【０１０２】
要するに、上記方法実施例において、溝型取り付けブラケットの構造設計によれば、フレキシブル太陽電池モジュールに適用される取り付け方法を実現し、溝型取り付けブラケットは構造が簡単で、総質量を従来の取り付けモジュールの重量の２０〜２５％に減少することができるため、建物の負荷能力への要件を低減させ、本願の溝型取り付けブラケットを用いると、フレキシブル太陽電池モジュールの取り付けの建物表面の平坦性への要件を避け、且つフレキシブル太陽電池モジュールの迅速な取り付け及び着脱を実現し、フレキシブル太陽電池モジュールの適用柔軟性を向上させる。
【０１０３】
本願の実施例の説明において、特に断りがない限り、専門用語「接続」、「固定接続」、「取り付け」、「組み立て」を広義的に理解すべきであり、例えば、固定接続であってもよいし、着脱可能な接続、又は一体接続であってもよく、専門用語「取り付け」、「接続」、「固定接続」が直接接続であってもよく、中間媒体を介する間接接続であってもよく、２つの素子内部の接続であってもよい。当業者であれば、具体的な状況によって上記専門用語の本願での具体的な意味を理解してもよい。
【０１０４】
以上の実施例は本願を具体的に説明するためのもののみであり、本願の保護範囲を制限するためのものではなく、本願の保護範囲は特許請求の範囲によって決定される。当該分野の公知技術及び本願に開示される技術案に基づき、多くの変形案を導出又は連想することができ、すべてのこれらの変形案は、本願の保護範囲に含まれると見なされるべきである。
【符号の説明】
【０１０５】
１００、１００′、１００′′  溝型取り付けブラケット、
１、１′、１′′  支持板、
１０  減量孔、
１１  装着口、
１２  第二ワイヤ通過孔、
２、２′、２′′  支持リブ、
２１  第一ワイヤ通過孔、
３、３′、３′′  溝、
３０  下曲げエッジ、
３１  Ｖ型部、
３２、３２′、３２′′  補強部、
３３  円弧状部、
３４、３４′  Ｕ型部、
４  フレキシブルガスケット、
５  フレキシブル太陽電池モジュール、
５０  モジュール本体、
５１  接続箱、
５１０、５１１  電線、
７  直立シーム屋根、
７０  シーム部、
７１  ピーク、
７２  直立シーム屋根板、
７３  支持台、
７４  突起、
８０、８０′  垂直部材、
８１、８１′  突起。
【図１】
2019031896.tif 000003
【図２】
2019031896.tif 000004
【図３】
2019031896.tif 000005
【図４】
2019031896.tif 000006
【図５】
2019031896.tif 000007
【図６】
2019031896.tif 000008
【図７】
2019031896.tif 000009
【図８】
2019031896.tif 000010
【図９】
2019031896.tif 000011
【図１０】
2019031896.tif 000012
【図１１】
2019031896.tif 000013
【図１２】
2019031896.tif 000014
【図１３】
2019031896.tif 000015
【図１４】
2019031896.tif 000016
【図１５】
2019031896.tif 000017
【図１６】
2019031896.tif 000018
【図１７】
2019031896.tif 000019
【図１８】
2019031896.tif 000020
【図１９】
2019031896.tif 000021